(57)【要約】【課題】片開きの中枠への取付部材の重量により中枠に変形等が生じたり、重い中枠の開閉動作の繰り返しによる中枠の開閉端側の垂下がりを防止できる遊技機を提供する。【解決手段】外枠と、この外枠との間に取着された上下のヒンジを介して外枠に片持ちされ、その外枠の前面側をヒンジの取着側とは反対側から開閉自在の片開きの中枠１とを備える遊技機において、中枠１を単一の金属板で形成してその強度を高めた。中枠１を外枠前端面に閉じたときに、中枠１のヒンジ取着側とは反対側の部分に作用する重量を外枠２が受けるように中枠１に支持部材６２を設け、中枠１の開閉端側の部分の垂下がりを抑えた。上下のヒンジの中枠１側の構成部材６ａ相互をヒンジ部補強板８１で連結してヒンジ部分に掛かる応力に対するねじれを抑え、更なる補強を行った。【選択図】図２０
2007175195.tif 000002
【特許請求の範囲】
【請求項１】
外枠と、
この外枠との間に取着された上下のヒンジを介してその外枠に片持ちされ、その外枠の前面側を前記ヒンジの取着側とは反対側から開閉自在の片開き枠体とを備える遊技機において、
前記片開き枠体は、単一の金属材で形成されると共に、この片開き枠体が前記外枠の前端面に閉成されたときに、その片開き枠体の少なくとも前記ヒンジの取着側とは反対側の部分に作用する重量を前記外枠に受けさせ得る枠体支持手段を備え、
前記上下のヒンジの前記片開き枠体側の構成部材相互がヒンジ部補強板で連結されたことを特徴とする遊技機。
【請求項２】
前記枠体支持手段は、前記片開き枠体が前記外枠の前端面に閉成されたときに前記外枠前端面の下方側の内側端縁部分に上方から係合する支持部材であって、前記金属材に一体形成されていることを特徴とする請求項１に記載の遊技機。
【請求項３】
前記片開き枠体の外周が折り曲げられて立ち壁が形成されていることを特徴とする請求項１又は２に記載の遊技機。
【発明の詳細な説明】
【技術分野】
【０００１】
本発明は、外枠と、この外枠との間に取着された上下のヒンジを介してその外枠に片持ちされ、その外枠の前面側を開閉自在の片開き枠体とを備える遊技機に関するものである。
【背景技術】
【０００２】
従来から、遊技機においてはこの種の開閉自在の枠構造を採るものが多い。
例えば、パチンコ機において、遊技盤の前面を覆う透明板が張られた前面枠（前扉）が片開き枠体として上記遊技盤を搭載した外枠に上下のヒンジを介して片持ちされ、その外枠の前面側、つまり遊技盤の前面側を開閉自在とした構造が挙げられる。
この場合、外枠の前面側を開閉自在としたのは、外枠に搭載された遊技盤の盤面上の釘の調整や球詰まり時の復旧処置等を可能にするためであるが、この際、開閉動作される片開き枠体である前面枠は、従来、木材で形成するのが一般的であった。しかし、最近のパチンコ機においては、木材に代えて合成樹脂等を使い、デザイン性に優れた形状に形成したものが主流となっている。また、装飾、ランプ等の部品の取付けにより前面枠の重量が増す傾向にある。
そこで従来、前面枠に略矩形の金属製の補強板を取り付け、またその補強板の端部を折り曲げて前面枠の強度を高めた遊技機が開発された（例えば、特許文献１参照）。
【特許文献１】特開２００３−３２５９０１号公報
【発明の開示】
【発明が解決しようとする課題】
【０００３】
しかしながら上記従来技術では、次のような課題があった。
すなわち前面枠は、遊技機の前面に位置することからも、今後、更に装飾が施され、あるいは演出部品等が付加され、その重量は増してゆくものと予測されるが、従来技術ではこのような重量の増大に対しては補強効果に限界があった。
【０００４】
また最近、入賞口、アウト口及び遊技釘を含む遊技盤面と、発射操作部の操作により発射され遊技盤面上を移動する遊技球とを、中枠（内枠）に搭載された大型の画像表示器に表示して遊技を行う映像式遊技機が提案されている。このような映像式遊技機において、上記中枠は、上記前面枠と同様に、開口窓を有し外枠との間に取着された上下のヒンジを介してその外枠に片持ちされ、その外枠の前面側を開閉自在の片開き枠体を構成するものである。
外枠の前面側を開閉自在としたのは、外枠とその背面板とでなす空間内に収納、配置された映像式パチンコ機の種々の制御回路基板や電源回路ユニット等の保守・点検をし易くするためであるが、開閉動作される中枠には重量の大きな画像表示器が取り付けられている。加えてこの中枠には、上記のように透明板が張られ、装飾やランプ等の部品が組み付けられた前面枠まで一体に取り付けられていることから、中枠が負う重量は大きなものとなっている。
【０００５】
このため、従来技術をそのまま適用しただけでは、前面枠、中枠等の片開き枠体への取付部材の重量により歪み・変形が生じたり、これとは別に、重い片開き枠体の開閉動作の長期に亘る繰り返しによる、ヒンジ取着側とは反対側部分の垂下がりが生じることは必至であると予測され、従来、これらの点についての改善が要望されていた。
【０００６】
本発明は、上記のような要望を全て満たし得る遊技機を提供することを目的とする。
【課題を解決するための手段】
【０００７】
上記目的を達成するために、特許請求の範囲の請求項１に記載の発明は、外枠と、この外枠との間に取着された上下のヒンジを介してその外枠に片持ちされ、その外枠の前面側を前記ヒンジの取着側とは反対側から開閉自在の片開き枠体とを備える遊技機において、前記片開き枠体は、単一の金属材で形成されると共に、この片開き枠体が前記外枠の前端面に閉成されたときに、その片開き枠体の少なくとも前記ヒンジの取着側とは反対側の部分に作用する重量を前記外枠に受けさせ得る枠体支持手段を備え、前記上下のヒンジの前記片開き枠体側の構成部材相互がヒンジ部補強板で連結されたことを特徴とする。
【０００８】
特許請求の範囲の請求項２に記載の発明は、請求項１に記載の発明において、前記枠体支持手段は、前記片開き枠体が前記外枠の前端面に閉成されたときに前記外枠前端面の下方側の内側端縁部分に上方から係合する支持部材であって、前記金属材に一体形成されていることを特徴とする。
【０００９】
特許請求の範囲の請求項３に記載の発明は、請求項１又は２に記載の発明において、前記片開き枠体の外周が折り曲げられて立ち壁が形成されていることを特徴とする。
【発明の効果】
【００１０】
特許請求の範囲の請求項１に記載の発明によれば、外枠と、外枠との間に取着された上下のヒンジを介して外枠に片持ちされ、その外枠の前面側をヒンジの取着側とは反対側から開閉自在の片開き枠体とを備える遊技機において、片開き枠体を単一の金属材で形成したので、片開き枠体の強度を従来技術以上に増大することができる。したがって、片開き枠体への取付部材の重量によって、片開き枠体に歪み・変形が発生することを防止できる。
また片開き枠体に、この片開き枠体が外枠の前端面に閉成されたときに、片開き枠体のヒンジ取着側とは反対側の部分に作用する重量を外枠に受けさせ得る枠体支持手段を設けた。これによれば、片開き枠体が外枠の前端面に閉成された場合に、その片開き枠体の開閉端側の部分に作用する重量を外枠が受けるようになり、片開き枠体が外枠に片持ちされただけの支持構成に起因する、片開き枠体の開閉端側の部分の垂下がりを防止できる。
更に、上下のヒンジの片開き枠体側の構成部材相互をヒンジ部補強板で連結したので、特に、片開き枠体に画像表示器や前面枠等の重い部材が取り付けられた場合に、これらが取り付けられた片開き枠体の重量を支えるヒンジ部分に掛かる応力に対するねじれが防止され、片開き枠体に歪み・変形が発生することを防止できる。
【００１１】
特許請求の範囲の請求項２に記載の発明によれば、請求項１に記載の発明において、枠体支持手段を、片開き枠体が外枠の前端面に閉成されたときに、外枠前端面の下方側の内側端縁部分に上方から係合する支持部材とし、これを、片開き枠体を形成する金属材に一体形成する構成とした。これによれば、支持部材を片開き枠体の製作時に同時に、つまり容易に形成できる。
【００１２】
特許請求の範囲の請求項３に記載の発明によれば、請求項１又は２に記載の発明において、片開き枠体の外周を折り曲げて立ち壁を形成したので、片開き枠体の強度を更に増大させることができる。この立ち壁は、片開き枠体の製作時に同時に、つまり容易に形成できる。
【発明を実施するための最良の形態】
【００１３】
以下、本発明の実施の形態を図面に基づき説明する。なお、各図間において、同一符号は同一又は相当部分を示す。
始めに、本発明が適用される映像式遊技機の構成について概述する。
映像式遊技機は、機械式の遊技機（以下、実遊技機と記す。）と同様の発射操作部を備え、入賞口、アウト口、遊技釘等の盤面構成部材が実遊技機の遊技盤面形態を模して配置された遊技盤面と、この遊技盤面上の遊技領域に打ち込まれ移動する遊技球とを画像表示器に表示し、上記遊技球が上記入賞口又はアウト口のいずれに入球するかの遊技を仮想的に行うパチンコ機である。賞球は、遊技球が入賞口に入ったときに獲得され、アウト口に入ったときには獲得されない等の基本的な遊技のルールは実遊技機の場合と特に変わるところはない。
【００１４】
映像式遊技機においては、上記画像表示器が中枠に搭載されるが、この中枠は、外枠との間に取着された上下のヒンジを介してその外枠に片持ちされ、その外枠の前面側を開閉自在の片開き枠体を構成している。
外枠の前面側を開閉自在としたのは、外枠内方に配置された制御回路基板等の保守・点検等をし易くするためであるが、開閉動作される中枠には、大画面、つまり重量の大きな画像表示器が取り付けられている。加えて中枠には、前面枠も一体に取り付けられているので、中枠はそこへの取付部材を含めて大重量となっている。
【００１５】
このように映像式遊技機は、中枠への取付部材が大重量となって中枠に歪み・変形が生じたり、中枠開閉動作の長期に亘る繰り返しによりヒンジ部分にがたが生じ、中枠のヒンジ取着側とは反対側部分の垂下がりが生じる虞があるが、本発明はこのような虞を解消するために、以下に例示するように構成したものである。
【００１６】
図１は、本発明が適用された映像式パチンコ機の一実施形態を正面側から示す斜視図である。図２は、同パチンコ機の正面図〔（ｂ）図〕、左側面図〔（ａ）図〕、右側面図〔（ｃ）図〕である。
図１、図２において、中枠１は開口窓１ａを有する額縁状に形成され、この中枠１の背面側には、中枠１の外形とほぼ同寸法、同形状の長方形に形成された、パチンコ機外周を仕切る外枠２が配置され、この外枠２の背面全面を背面板３（図３参照）が覆っている。  また中枠１は、外枠２との間に取着された上下一対のヒンジ６を介してその外枠２の左側に片持ちされ、その外枠２の前面側をヒンジ６の取着側とは反対側、つまり右側から開閉自在の片開き枠体を構成している。
【００１７】
前面枠５は、合成樹脂からなり、中枠１の前面に、すなわちパチンコ機前面に位置し、中枠１と一体に固定され、中枠１を介し外枠２に対して開閉自在である。
この前面枠５は、中枠１と同様に開口窓５ａを有する額縁状に形成され、外形も中枠１とほぼ同寸法、同形状の長方形であって、その外形状をなす長方形の各辺を、中枠１の外形状をなす長方形の各辺と揃えて、中枠１に取り付けられている。
なお、中枠１及び外枠２間には後述する施錠装置が設けられており、中枠１（及び前面枠５）は、常時は外枠２の前面側を閉じた状態で外枠２に固定される。
【００１８】
上記前面枠５には、装飾部材や、ランプ５１、中高音用スピーカ５２等の電気部品が組み付けられ、またこの前面枠５の裏面には、後述する液晶画像表示器を画面全域に亘って保護する透明板、例えばガラス板（図示せず）が取付け固定されている。
また、前面枠５の下方左右側には、吸気口１１ａ，１１ｂが開けられている。更に前面枠５の下方中央部には、遊技の開始時及び終了時等に、遊技者が操作するコントロールユニット１２が取付け固定されている。
【００１９】
コントロールユニット１２の上面には、情報表示部、ここでは遊技球の使用可能量(遊技球貸出し可能金額)を表示するカード残高表示部１３や獲得スコア表示部（持ち球数情報表示部）１４が設けられている。また、同ユニット１２の上面には、操作スイッチ、ここでは遊技者が操作する貸出し球ボタンスイッチ１５、カード返却ボタンスイッチ１６及び獲得スコア精算ボタンスイッチ（精算スイッチ）１７も設けられている。
そして、同ユニット１２の中央下部にはカード挿入口１８が設けられ、また、同左側下方にはドリンクホルダ２１が設けられ、更に、同右側には、遊技球（画像）を、その発射強度を調整しながら発射するためのハンドルセット（発射操作部）２２が取り付けられている。
【００２０】
図３は同上パチンコ機の正面側から示す分解斜視図である。
この図３から分かるように、映像式パチンコ機の画像表示器、例えば液晶画像表示器、ＥＬディスプレイ等、ここでは液晶画像表示器３１は、パチンコ機正面全領域のおよそ２／３程度占める大画面（大重量）の画像表示器である。この液晶画像表示器３１は、外形状がほぼ平板状に形成されており、中枠１の裏面に、その画面をパチンコ機正面側に向けて中枠１の開口窓１ａに合わせた状態で固定されている。
前面枠５の開口窓５ａは、中枠１の開口窓１ａとほぼ同位置、同寸法に形成され、前面枠５の開口窓５ａからは液晶画像表示器３１の画面のほぼ全域を見通せる。
【００２１】
ここで、外枠２、背面板３、液晶画像表示器３１及び後述するバッフル板は、箱形枠体４を形成している。この場合、外枠２は箱形枠体４の上下、左右各面を仕切る板状体を、液晶画像表示器３１及びバッフル板は同枠体４の正面を仕切る板状体を、背面板３は同枠体４の背面を仕切る板状体を、各々形成する。
液晶画像表示器３１は、箱形枠体４の正面を仕切る板状体の上部側板状体部を形成し、この液晶画像表示器３１及び背面板３相互間に形成される箱形枠体４内の上部側空間３２内には、詳細を後述するが、映像式パチンコ機を構成する種々の制御回路基板が配置される。
この上部側空間３２を除く箱形枠体４内の下方側の全空間（以下、下部側空間と記す。）３３はスピーカ収納空間とされ、この空間３３内には大口径のスピーカ、ここでは低音用スピーカ３４が配置される。
【００２２】
本実施形態では、箱形枠体４内の上部側空間３２と下部側空間（スピーカ収納空間）３３とを仕切る仕切板３３ａが設けられ、この仕切板３３ａがスピーカ収納空間３３の天井板として用いられている。そして、箱形枠体４の正面を仕切る板状体の下部側板状体部として低音用スピーカ３４のバッフル板３３ｂが用いられている。
【００２３】
図示するように、上部側空間３２の背面板３の上部側部分３ａの上下各側には、排気口４１ａ，４１ｂが開けられている。各排気口４１ａ，４１ｂには、吸気口１１ａ，１１ｂ側から排気口４１ａ，４１ｂ側に向けて強制冷却空気流を発生させるファン４２ａ，４２ｂがフィルタ４３ａ，４３ｂを介して取り付けられている。
なお、図３に示すように中枠１には、前面枠５に開けられた吸気口１１ａ，１１ｂの対向位置に通気口１９ａ，１９ｂが形成され、吸気口１１ａ，１１ｂ及び箱形空間３２相互間が通気可能に形成されている。また、吸気口１１ａ，１１ｂから通気口１９ａ，１９ｂを通り、バッフル板３３ｂの前面側を経て箱形空間３２に至る通気路が形成されている。
【００２４】
箱形枠体４内の上部側空間３２内に配置される、映像式パチンコ機を構成する種々の制御回路基板（制御回路基板群）としては、本実施形態では主制御回路基板３５と、画像表示制御回路基板３６ａ及び音声制御回路基板３６ｂを搭載した副制御回路基板３６と、払出制御回路基板３７とが挙げられる。本実施形態では、制御回路基板３５〜３７及び液晶画像表示器３１等に電源を供給する電源回路ユニット３８も上部側空間３２内に配置される。
【００２５】
ここで、主制御回路基板３５に備わる主制御回路は、パチンコ機全般の制御を司る、特に液晶画像表示器３１に表示される遊技盤面画像における遊技状態を制御する回路である。
また、画像表示制御回路３６ａに備わる画像表示制御回路は、上記主制御回路の制御に基づき上記遊技盤面画像における表示制御やランプ５１の点消灯制御を行う回路であり、音声制御回路基板３６ｂに備わる音声制御回路は、上記主制御回路の制御に基づき中高音用スピーカ５２や低音用スピーカ３４を用いた音声による遊技演出等の制御を行う回路である。
払出制御回路基板３７に備わる払出制御回路は、上記入賞口への入賞（入賞口位置における遊技球画像の消滅）に伴う賞球の払出制御や遊技終了時における精算処理等を行う回路である。
電源回路ユニット３８に備わる電源回路は、上記各制御回路基板３５〜３７、液晶画像表示器３１、ランプ５１及びファン４２ａ，４２ｂ等、パチンコ機各部に電源を供給する回路である。
【００２６】
図４、図５は、図１〜図３に示すパチンコ機において、中枠１を外枠２に対して開放した状態を示す図で、図４は斜視図、図５は平面図である。
図４に示すように、各制御回路基板３５〜３７は、上部側空間３２の背面を仕切る背面板３の上部側部分３ａ内面に配置、固定され、電源回路ユニット３８は、スピーカ収納室３３の天井板３３ａの上面左側に配置、固定されている。なお、制御回路基板３５〜３７及び電源回路ユニット３８は、外部からの機械的、電気的障害から保護されるようにケースを備えている。
【００２７】
図４及び図５から、中枠１は、液晶画像表示器３１、前面枠５、コントロールユニット１２及びハンドルセット２２等が取り付けられて大重量となっていることが分かる。したがって、図示パチンコ機が外枠２を介してパチンコ機島（図示せず）に設置、固定された状態において、上下のヒンジ６部分、特に上側のヒンジ６部分には、中枠１のヒンジ６取着側とは反対側の部分（開閉端側の部分）を垂下させるような力が大きく作用することが分かる。
【００２８】
そこで本実施形態では、中枠１を次のように構成した。
図６〜図１２は、図１に示すパチンコ機の中枠１のみを取り出して示す図で、図６は正面図、図７は側面図〔（ａ）は左側面図、（ｂ）は右側面図〕、図８は平面図、図９は底面図、図１０は背面図、図１１は正面側から示す斜視図、図１２は背面側から示す斜視図である。
これら図６〜図１２から分かるように、中枠１は単一材で形成されている。図では表現されないが、中枠１は、単一の金属材、例えば鉄板（冷間圧延鉄板：ＳＰＣＣ）あるいはステンレス板等の金属板で形成されている。中枠１を単一の金属材、例えば金属板で形成した（金属製中枠とした）のは強度の増大を図る、つまり従来技術以上の強度を持たせるためである。この強度の増大によれば、片開き枠体を構成する中枠１に、液晶画像表示器３１、前面枠５等の取付部材の重量による歪み・変形の発生を防止できる。
【００２９】
また中枠１は、この中枠１が外枠２の前端面６１に閉成されたときに、その中枠１のヒンジ６（図４参照）の取着側とは反対側の部分に作用する重量を外枠２（図４参照）に受けさせ得る枠体支持手段を有して形成されている。
この枠体支持手段は、図示例においては側断面爪状の支持部材６２であって、図１３中、一点鎖線で囲んだ領域イ内に示すように、中枠１が外枠２の前端面６１に閉成されたときに外枠２前端面６１の下方側の内側端縁部分に上方から係合する（外枠２下辺部分の内側に乗り上げる）ように、中枠１に一体形成されている。本実施形態において、この支持部材６２は、中枠１の製作時、具体的にはプレス成形時に同時に形成（成形）される。
【００３０】
支持部材６２は、中枠１が外枠２の前端面６１に閉成されたときに、その中枠１の開閉端側の部分に作用する重量を外枠２が受けるように、外枠２下辺部分の内側に乗り上げるので、中枠１が外枠２に片持ちされただけの支持構成に起因する中枠１の開閉端側の部分の垂下がりが防止される。
特に、中枠１の開閉動作が長期に亘って繰り返されると、ヒンジ６部分が摩耗してがたが生じ、中枠１の開閉端側の部分の垂下がりが生じてくるが、上記支持部材６２によれば、このような垂下がりが防止される。
側断面爪状の支持部材６２は、中枠１のプレス成形時に同時に成形可能であるので、この支持部材６２（枠体支持手段）の形成は容易である。
【００３１】
本実施形態においては、図１２から分かるように、中枠１の外周及び開口窓１ａの周囲には立ち壁７１が折曲げ形成され、中枠１の更なる強度増大が図られている。
この立ち壁７１は、金属板製の中枠１のプレス成形時に同時に形成、つまり簡単に折曲げ形成される。立ち壁７１の角部、つまり中枠１の内、外形状をなす各長方形の各辺の隣接部７２は、溶接、ここではスポット溶接が施されて補強されている。
【００３２】
中枠１には、上記開口窓１ａ及び通気口１９ａ，１９ｂの他に、スピーカダクト用穴１ｂ、ハンドルセット取付け用穴１ｃ、シリンダ錠取付け用穴１ｄ、液晶画像表示器取付け用穴１ｅ、ヒンジ・ヒンジ部補強板取付け用穴１ｆ及び錠機構取付け用穴１ｇが開けられている。
なお、１ｈ及び１ｉは後述する中枠１側のヒンジ構成部材の一部を挿通してパチンコ機前面側に突出させるための切欠き、１ｊはハンドルグリップ取付け用穴、１ｋは前面枠取付け用穴である。
【００３３】
図１４は上記液晶画像表示器３１等が取り付けられた中枠１（以下、中枠組と記す。）の正面図、図１５は同、中枠組の側面図〔（ａ）は左側面図、（ｂ）は右側面図〕、図１６は同じく平面図、図１７は同じく底面図、図１８は同じく背面図、図１９は同じく正面側から示す斜視図、図２０は同じく背面側から示す斜視図、図２１は同じく背面側から示す分解斜視図である。
これら図１４〜図２１に示すように、中枠１には、液晶画像表示器３１、上記ヒンジ６の構成部材（中枠１側のヒンジ構成部材６ａ）、ヒンジ部補強板８１並びに施錠装置を構成するシリンダ錠８２及び錠機構８３が取り付けられる。
上記液晶画像表示器３１、ヒンジ構成部材６ａ、ヒンジ部補強板８１並びにシリンダ錠８２及び錠機構８３の取付けは、各取付け用穴１ｅ，１ｆ，１ｄ，１ｇに通されるビス及びこのビスが螺着されるナット等からなるビス止め手段を用いて行われるが、このビス止め手段の図示は省略した。
なお、ヒンジ構成部材６ａは、図２１に示すように、上側のヒンジ６においては図４に示す外枠２側のヒンジ構成部材２ａの支軸穴（図示せず）に挿通される支軸６ａ１を有し、また、下側のヒンジ６ａにおいては上記外枠２側のヒンジ構成部材２ａの支軸（図示せず）が挿通される支軸穴６ａ２を有してなる。
【００３４】
上記ヒンジ部補強板８１は、上下のヒンジ構成部材６ａ相互を連結して各ヒンジ６部分を補強し、中枠１を充分な強度を持って外枠２へ支持させるための補強板であり、例えば鉄板（冷間圧延鉄板：ＳＰＣＣ）あるいはステンレス板等の金属板で形成されている。
このようなヒンジ部補強板８１によれば、液晶画像表示器３１や前面枠５（図４参照）が取り付けられた中枠１の重量を支える上下のヒンジ６部分に掛かる応力に対するねじれが防止され、中枠１の歪み・変形の発生を防止できる。
【００３５】
上述した実施形態では、片開き枠体が、液晶画像表示器や前面枠が取り付けられる映像式パチンコ機の中枠である場合について述べたが、これのみに限定されることはなく、例えば実遊技機における前面枠であってもよい。要するに、外枠に片持ちされ、その外枠の前面側をヒンジの取着側とは反対側から開閉自在の片開き枠体であれば、いずれの枠体にも本発明を適用することができる。
また枠体支持手段も、片開き枠体が外枠の前端面に閉成されたときに、外枠前端面の下方側の内側端縁部分に上方から係合する支持部材のみに限定されることはない。要するに、片開き枠体が外枠の前端面に閉成されたときに、その片開き枠体の少なくともヒンジの取着側とは反対側の部分に作用する重量を外枠が受けることができるように構成されていれば、どのような支持手段であってもよい。
【図面の簡単な説明】
【００３６】
【図１】本発明が適用された映像式パチンコ機の一実施形態を示す斜視図である。
【図２】図１に示すパチンコ機の正面図及び左右側面図である。
【図３】同上パチンコ機の分解斜視図である。
【図４】同上パチンコ機の中枠開放時の斜視図である。
【図５】同じく平面図である。
【図６】同上パチンコ機の中枠のみを取り出して示す正面図である。
【図７】同じく左右側面図である。
【図８】同じく平面図である。
【図９】同じく底面図である。
【図１０】同じく背面図である。
【図１１】同じく正面側から示す斜視図である。
【図１２】同じく背面側から示す斜視図である。
【図１３】図７に示す中枠の支持部材が外枠の内側端縁部分に上方から係合している様子を説明するためのパチンコ機側断面図である。
【図１４】液晶画像表示器等が取り付けられた中枠組の正面図である。
【図１５】同じく左右側面図である。
【図１６】同じく平面図である。
【図１７】同じく底面図である。
【図１８】同じく背面図である。
【図１９】同じく正面側から示す斜視図である。
【図２０】同じく背面側から示す斜視図である。
【図２１】同じく背面側から示す分解斜視図である。
【符号の説明】
【００３７】
１：中枠（片開き枠体）、２：外枠、６：ヒンジ、６ａ：中枠１側のヒンジ構成部材、６１：外枠の前端面、６２：支持部材（枠体支持手段）、７１：立ち壁、８１：ヒンジ部補強板。
【図１】
2007175195.tif 000003
【図２】
2007175195.tif 000004
【図３】
2007175195.tif 000005
【図４】
2007175195.tif 000006
【図５】
2007175195.tif 000007
【図６】
2007175195.tif 000008
【図７】
2007175195.tif 000009
【図８】
2007175195.tif 000010
【図９】
2007175195.tif 000011
【図１０】
2007175195.tif 000012
【図１１】
2007175195.tif 000013
【図１２】
2007175195.tif 000014
【図１３】
2007175195.tif 000015
【図１４】
2007175195.tif 000016
【図１５】
2007175195.tif 000017
【図１６】
2007175195.tif 000018
【図１７】
2007175195.tif 000019
【図１８】
2007175195.tif 000020
【図１９】
2007175195.tif 000021
【図２０】
2007175195.tif 000022
【図２１】
2007175195.tif 000023